(57)【要約】【課題】  駆動用コイルから発生した熱の放熱性を高め、対物レンズに対する熱の影響を抑制して対物レンズの光学性能を維持する。【解決手段】  対物レンズ５を保持する対物レンズ保持部材６とこの対物レンズ保持部材６に固定された駆動用コイル７、８とを備えた可動部２と、保持部材９とヨーク１０とが立設されてヨーク１０に固定された駆動用磁石１１が駆動用コイル７、８に近接対向された基台３と、一端側が可動部２に固定されて他端側が保持部材９に保持されて可動部２を基台３に対して弾性的に支持する複数の弾性支持部材１２とを有する対物レンズ駆動装置1であって、基台３とキャリッジ４との間に空気より熱伝導率の高い伝熱媒体１６が介装されている。駆動用コイル７、８から発生した熱は、駆動用磁石１１とヨーク１０とを介して基台３に伝わった後、伝熱媒体１６を介してキャリッジ４に伝わって放熱され、対物レンズ５に伝わる熱を低減できる。【選択図】    図１
2006031787.tif 000002
【特許請求の範囲】
【請求項１】
光スポットを形成する対物レンズとこの対物レンズを保持する対物レンズ保持部材とこの対物レンズ保持部材に固定された駆動用コイルとを備えた可動部と、
保持部材とヨークとが立設された基台と、
一端側が前記可動部に固定されて他端側が前記保持部材に保持され、前記可動部を前記基台に対して弾性的に支持する複数の弾性支持部材と、
前記ヨークに取付けられて前記駆動用コイルに近接対向された駆動用磁石と、
前記基台が取付けられたキャリッジと、
前記キャリッジと前記基台との間に介装された空気より熱伝導率の高い伝熱媒体と、
を具備する対物レンズ駆動装置。
【請求項２】
前記キャリッジと前記基台との少なくとも一方に、前記キャリッジと前記基台との間に前記伝熱媒体を注入するための注入部が形成されている請求項１記載の対物レンズ駆動装置。
【請求項３】
前記伝熱媒体は、前記キャリッジと前記基台とを接着固定する接着剤である請求項１又は２記載の対物レンズ駆動装置。
【請求項４】
光スポットを形成する対物レンズとこの対物レンズを保持する対物レンズ保持部材とこの対物レンズ保持部材に固定された駆動用コイルとを備えた可動部と、
保持部材とヨークとが立設された基台と、
一端側が前記可動部に固定されて他端側が前記保持部材に保持され、前記可動部を前記基台に対して弾性的に支持する複数の弾性支持部材と、
前記ヨークに取付けられて前記駆動用コイルに近接対向された駆動用磁石と、
前記基台が取付けられたキャリッジと、
前記対物レンズ保持部材と前記駆動用コイルとの間に介装された放熱板と、
前記キャリッジに形成されて前記放熱板が挿入される放熱用凹部と、
を具備する対物レンズ駆動装置。
【請求項５】
前記放熱板と前記弾性支持部材とが一体に形成されている請求項４記載の対物レンズ駆動装置。
【請求項６】
光スポットを形成する対物レンズとこの対物レンズを保持する対物レンズ保持部材とこの対物レンズ保持部材に固定された駆動用コイルとを備えた可動部と、
保持部材とヨークとが立設された基台と、
一端側が前記可動部に固定されて他端側が前記保持部材に保持され、前記可動部を前記基台に対して弾性的に支持する複数の弾性支持部材と、
前記ヨークに取付けられて前記駆動用コイルに近接対向された駆動用磁石と、
を具備し、
前記対物レンズは、レンズ部とフランジ部とこれらのレンズ部とフランジ部とを繋ぐ複数の繋ぎ部とから形成されている対物レンズ駆動装置。
【請求項７】
複数の前記繋ぎ部は、前記駆動用コイルの近くに位置する前記繋ぎ部の断面積は小さく、前記駆動用コイルから離れて位置する前記繋ぎ部の断面積は大きく設定されている請求項６記載の対物レンズ駆動装置。
【請求項８】
光スポットを形成する対物レンズとこの対物レンズを保持する対物レンズ保持部材とこの対物レンズ保持部材に固定された駆動用コイルとを備えた可動部と、
保持部材とヨークとが立設された基台と、
一端側が前記可動部に固定されて他端側が前記保持部材に保持され、前記可動部を前記基台に対して弾性的に支持する複数の弾性支持部材と、
前記ヨークに取付けられて前記駆動用コイルに近接対向された駆動用磁石と、
を具備し、
前記対物レンズ保持部材は、前記対物レンズの周縁部を当接保持する複数の保持用突起部を有している対物レンズ駆動装置。
【請求項９】
光スポットを形成する対物レンズとこの対物レンズを保持する対物レンズ保持部材とこの対物レンズ保持部材に固定された駆動用コイルとを備えた可動部と、
保持部材とヨークとが立設された基台と、
一端側が前記可動部に固定されて他端側が前記保持部材に保持され、前記可動部を前記基台に対して弾性的に支持する複数の弾性支持部材と、
前記ヨークに取付けられて前記駆動用コイルに近接対向された駆動用磁石と、
を具備し、
前記駆動用コイルは前記対物レンズ保持部材に接着剤により接着固定され、前記駆動用コイルは前記接着剤の接着剤厚さ寸法を調整することにより前記駆動用磁石との対向間隔が調整されている対物レンズ駆動装置。
【請求項１０】
光スポットを形成する対物レンズとこの対物レンズを保持する対物レンズ保持部材とこの対物レンズ保持部材に固定された駆動用コイルとを備えた可動部と、
保持部材とヨークとが立設された基台と、
一端側が前記可動部に固定されて他端側が前記保持部材に保持され、前記可動部を前記基台に対して弾性的に支持する複数の弾性支持部材と、
前記ヨークに取付けられて前記駆動用コイルに近接対向された駆動用磁石と、
を具備し、
前記対物レンズ保持部材に固定された前記駆動用コイルは、コイル端面方向の投影面積が異なる２つ以上の前記駆動用コイルが接着され、投影面積が大きいほうの前記駆動用コイルが前記駆動用磁石に対向する側に位置付けられている対物レンズ駆動装置。
【請求項１１】
光ディスクに対して照射するレーザ光を発するレーザ光源と、
請求項１ないし１０のいずれか一記載の対物レンズ駆動装置と、
前記光ディスクからの反射光を受光する受光光学系と、
前記受光光学系における受光信号に基づいて前記対物レンズ駆動装置に対する制御信号を出力する対物レンズ制御系と、
を具備する光ピックアップ装置。
【請求項１２】
光ディスクを回転駆動する回転駆動系と、
前記光ディスクの半径方向に移動可能に設けられた請求項１０記載の光ピックアップ装置と、
を具備する光ディスク装置。
【発明の詳細な説明】
【技術分野】
【０００１】
本発明は、対物レンズ駆動装置、この対物レンズ駆動装置を用いた光ピックアップ装置及びこの光ピックアップ装置を用いた光ディスク装置に関する。
【背景技術】
【０００２】
光ディスク装置は、レーザ光を光ディスクの記録面に照射し、その反射光を識別することによって情報を読み取っている。光ディスク装置に搭載されている対物レンズ駆動装置は、反射光から得られる制御信号を用いて、対物レンズを光ディスクの面振れ、偏芯、傾きなどに追従するようにフォーカシング方向、トラッキング方向、チルト方向に駆動している。対物レンズの駆動は、駆動用磁石に対向配置した駆動用コイルに電流を流すことにより駆動用磁石と駆動用コイルとの間で推力を発生させることにより行っている。
【０００３】
このような光ディスク装置では、近年、記録密度の高密度化、記録及び読み取り速度の高速度化が進み、それに伴って対物レンズを高速に駆動させる必要性が生じている。対物レンズを高速に駆動させるためには、駆動用コイルに大電流を通電する必要がある。
【０００４】
駆動用コイルに通電するとジュール熱が発生し、駆動用コイルに通電する電流を増大させるとそれに伴って発生するジュール熱も増大する。そして、ジュール熱の影響で駆動用コイルの温度が許容値を越えると、絶縁層が融けて駆動用コイルが故障する。また、駆動用コイルが故障しないまでも、発生した熱により対物レンズが歪み、光学性能を劣化させることがある。
【０００５】
そこで、駆動用コイルから発生した熱による駆動用コイルの故障や対物レンズの光学性能の劣化を防止するため、発生した熱を放熱するための様々な工夫がなされている（例えば、特許文献１、２参照）。
【０００６】
特許文献１に開示された発明では、金属板からなる支持部材に合成樹脂からなるコイルボビンを取り付け、駆動用コイルからコイルボビンに伝わった熱を支持部材に容易に伝えるようにしている。
【０００７】
特許文献２に開示された発明では、金属製の重心調整部材を可動部上の対物レンズと対角方向に可動部内で駆動用コイルと接触するように設け、駆動用コイルからの熱を重心調整部材に伝え、さらに、重心調整部材から粘弾性ダンパ材を介してアクチュエータベースに伝えるようにしている。
【０００８】
【特許文献１】特開２０００−１０５９３５公報
【特許文献２】特開２００１−２３２０２公報
【発明の開示】
【発明が解決しようとする課題】
【０００９】
上述した各特許文献に記載された発明では、駆動用コイルから発生した熱を対物レンズを含む可動部を支持している支持部材又はアクチュエータベースに伝熱することは記載されている。しかし、これら支持部材やアクチュエータベースは、これらの支持部材やアクチュエータを可動部と共に光ディスクの半径方向に移動させるキャリッジに取り付けられており、その取り付けは、複数の当接箇所で接触させ、その当接箇所でネジ止め、接着剤止めされている。
【００１０】
このため、駆動用コイルから支持部材やアクチュエータベースに伝わった熱の大部分は、支持部材やアクチュエータベースから空気中に放熱されている。ここで、空気は熱伝導率が低いので、支持部材やアクチュエータベースからの放熱性が低くなり、ひいては、駆動用コイルから支持部材やアクチュエータベースへの熱の伝わりも低下する結果となり、この熱が対物レンズに伝わり易くなっている。
【００１１】
本発明の目的は、駆動用コイルから発生した熱が対物レンズに伝わることを抑制し、対物レンズに対する熱の影響を抑制して対物レンズの光学性能を維持することである。
【課題を解決するための手段】
【００１２】
請求項１記載の発明の対物レンズ駆動装置は、光スポットを形成する対物レンズとこの対物レンズを保持する対物レンズ保持部材とこの対物レンズ保持部材に固定された駆動用コイルとを備えた可動部と、保持部材とヨークとが立設された基台と、一端側が前記可動部に固定されて他端側が前記保持部材に保持され、前記可動部を前記基台に対して弾性的に支持する複数の弾性支持部材と、前記ヨークに取付けられて前記駆動用コイルに近接対向された駆動用磁石と、前記基台が取付けられたキャリッジと、前記キャリッジと前記基台との間に介装された空気より熱伝導率の高い伝熱媒体と、を具備する。
【００１３】
請求項２記載の発明は、請求項１記載の対物レンズ駆動装置において、前記キャリッジと前記基台との少なくとも一方に、前記キャリッジと前記基台との間に前記伝熱媒体を注入するための注入部が形成されている。
【００１４】
請求項３記載の発明は、請求項１又は２記載の対物レンズ駆動装置において、前記伝熱媒体は、前記キャリッジと前記基台とを接着固定する接着剤である。
【００１５】
請求項４記載の発明の対物レンズ駆動装置は、光スポットを形成する対物レンズとこの対物レンズを保持する対物レンズ保持部材とこの対物レンズ保持部材に固定された駆動用コイルとを備えた可動部と、保持部材とヨークとが立設された基台と、一端側が前記可動部に固定されて他端側が前記保持部材に保持され、前記可動部を前記基台に対して弾性的に支持する複数の弾性支持部材と、前記ヨークに取付けられて前記駆動用コイルに近接対向された駆動用磁石と、前記基台が取付けられたキャリッジと、前記対物レンズ保持部材と前記駆動用コイルとの間に介装された放熱板と、前記キャリッジに形成されて前記放熱板が挿入される放熱用凹部と、を具備する。
【００１６】
請求項５記載の発明は、請求項４記載の対物レンズ駆動装置において、前記放熱板と前記弾性支持部材とが一体に形成されている。
【００１７】
請求項６記載の発明の対物レンズ駆動装置は、光スポットを形成する対物レンズとこの対物レンズを保持する対物レンズ保持部材とこの対物レンズ保持部材に固定された駆動用コイルとを備えた可動部と、保持部材とヨークとが立設された基台と、一端側が前記可動部に固定されて他端側が前記保持部材に保持され、前記可動部を前記基台に対して弾性的に支持する複数の弾性支持部材と、前記ヨークに取付けられて前記駆動用コイルに近接対向された駆動用磁石と、を具備し、前記対物レンズは、レンズ部とフランジ部とこれらのレンズ部とフランジ部とを繋ぐ複数の繋ぎ部とから形成されている。
【００１８】
請求項７記載の発明は、請求項６記載の対物レンズ駆動装置において、複数の前記繋ぎ部は、前記駆動用コイルの近くに位置する前記繋ぎ部の断面積は小さく、前記駆動用コイルから離れて位置する前記繋ぎ部の断面積は大きく設定されている。
【００１９】
請求項８記載の発明の対物レンズ駆動装置は、光スポットを形成する対物レンズとこの対物レンズを保持する対物レンズ保持部材とこの対物レンズ保持部材に固定された駆動用コイルとを備えた可動部と、保持部材とヨークとが立設された基台と、一端側が前記可動部に固定されて他端側が前記保持部材に保持され、前記可動部を前記基台に対して弾性的に支持する複数の弾性支持部材と、前記ヨークに取付けられて前記駆動用コイルに近接対向された駆動用磁石と、を具備し、前記対物レンズ保持部材は、前記対物レンズの周縁部を当接保持する複数の保持用突起部を有している。
【００２０】
請求項９記載の発明の対物レンズ駆動装置は、光スポットを形成する対物レンズとこの対物レンズを保持する対物レンズ保持部材とこの対物レンズ保持部材に固定された駆動用コイルとを備えた可動部と、保持部材とヨークとが立設された基台と、一端側が前記可動部に固定されて他端側が前記保持部材に保持され、前記可動部を前記基台に対して弾性的に支持する複数の弾性支持部材と、前記ヨークに取付けられて前記駆動用コイルに近接対向された駆動用磁石と、を具備し、前記駆動用コイルは前記対物レンズ保持部材に接着剤で接着固定され、前記駆動用コイルは前記接着剤の接着剤厚さ寸法を調整することにより前記駆動用磁石との対向間隔が調整されている。
請求項１ないし８のいずれか一記載の対物レンズ駆動装置において、前記駆動用コイルは前記対物レンズ保持部材又は前記放熱板に接着固定され、前記駆動用コイルは前記接着剤による接着剤厚さ寸法を調整することにより前記駆動用磁石との対向間隔が調整されている。
【００２１】
請求項１０記載の発明の対物レンズ駆動装置は、光スポットを形成する対物レンズとこの対物レンズを保持する対物レンズ保持部材とこの対物レンズ保持部材に固定された駆動用コイルとを備えた可動部と、保持部材とヨークとが立設された基台と、一端側が前記可動部に固定されて他端側が前記保持部材に保持され、前記可動部を前記基台に対して弾性的に支持する複数の弾性支持部材と、前記ヨークに取付けられて前記駆動用コイルに近接対向された駆動用磁石と、を具備し、前記対物レンズ保持部材に固定された前記駆動用コイルは、コイル端面方向の投影面積が異なる２つ以上の前記駆動用コイルが接着され、投影面積が大きいほうの前記駆動用コイルが前記駆動用磁石に対向する側に位置付けられている。
【００２２】
請求項１１記載の発明の光ピックアップ装置は、光ディスクに対して照射するレーザ光を発するレーザ光源と、請求項１ないし１０のいずれか一記載の対物レンズ駆動装置と、前記光ディスクからの反射光を受光する受光光学系と、前記受光光学系における受光信号に基づいて前記対物レンズ駆動装置に対する制御信号を出力する対物レンズ制御系と、を具備する。
【００２３】
請求項１２記載の発明の光ディスク装置は、光ディスクを回転駆動する回転駆動系と、前記光ディスクの半径方向に移動可能に設けられた請求項１０記載の光ピックアップ装置と、を具備する。
【発明の効果】
【００２４】
請求項１記載の発明の対物レンズ駆動装置によれば、駆動用コイルから発生した熱は、駆動用磁石とヨークとを介して基台に伝わった後、基台とキャリッジとの間に介装されている伝熱媒体を介してキャリッジに伝わる。これにより、駆動用コイルから発生して基台まで伝わった熱を効率よくキャリッジに伝えることができ、これにより、駆動用コイルから発生して対物レンズに伝わる熱を低減させることができ、対物レンズの光学性能を維持することができる。
【００２５】
請求項２記載の発明の対物レンズ駆動装置によれば、可動部などを取付けた基台をキャリッジに取付けた後、注射器などを用いて注入部からキャリッジと基台との間に必要量の伝熱媒体を注入することができるので、キャリッジと基台との間に介装される伝熱媒体の過不足の発生を防止し、適量の伝熱媒体を介装することができる。
【００２６】
請求項３記載の発明の対物レンズ駆動装置によれば、伝熱媒体である接着剤は経時的に蒸発等して減少するということが発生せず、伝熱媒体による放熱性を長期間に亘って維持することができる。
【００２７】
請求項４記載の発明の対物レンズ駆動装置によれば、駆動用コイルから発生した熱は空気層を介さずに放熱板に伝わり、放熱板から放熱用凹部の箇所でキャリッジに伝わる。これにより、駆動用コイルから発生した熱を効率よくキャリッジに伝えることができ、これにより、駆動用コイルから発生して対物レンズに伝わる熱を低減させることができ、対物レンズの光学性能を維持することができる。
【００２８】
請求項５記載の発明の対物レンズ駆動装置によれば、部品点数を減らすことができ、また、対物レンズ保持部材への放熱板と弾性支持部材との取付けを一度に行うことによって組立工程数の削減を図ることができる。
【００２９】
請求項６記載の発明の対物レンズ駆動装置によれば、繋ぎ部と繋ぎ部との間に空間ができるので、この空間の存在により対物レンズ保持部材からレンズ部への熱の伝わりを抑制することができ、レンズ部に対する熱の影響を抑制して対物レンズの光学性能を維持することができる。
【００３０】
請求項７記載の発明の対物レンズ駆動装置によれば、駆動用コイルの近くに位置する繋ぎ部の断面積を小さくして駆動用コイルから離れて位置する繋ぎ部の断面積を大きくしているため、繋ぎ部を介してレンズ部に伝わる熱をレンズ部の全周で略均等にしてレンズ部における温度分布差の発生を抑制することができ、対物レンズの光学性能を維持することができる。さらに、一部の繋ぎ部の断面積を大きくすることにより、全ての繋ぎ部の断面積を一律に小さくした場合と比較してレンズ部を支持する剛性を確保することができる。
【００３１】
請求項８記載の発明の対物レンズ駆動装置によれば、対物レンズ保持部材と対物レンズとの接触面積を小さくすることができ、対物レンズ保持部材から対物レンズへの熱の伝わりを抑制することができ、対物レンズの光学性能を維持することができる。
【００３２】
請求項９記載の発明の対物レンズ駆動装置によれば、駆動用コイルを対物レンズ保持部材又は放熱板に接着固定する際の接着剤の接着剤厚さ寸法の調整によって駆動用コイルと駆動用磁石との対向間隔を小さく抑えることができ、それにより可動部を駆動させるために駆動用コイルに流す電流値を小さくして駆動用コイルから発生する熱を低減させることができ、対物レンズに伝わる熱を抑制することができ、対物レンズの光学性能を維持することができる。さらに、駆動用コイルと駆動用磁石との対向間隔を小さく抑えることにより、駆動用コイルから駆動用磁石への熱の伝わりを促進することができ、この点からも対物レンズに伝わる熱を抑制することができる。
【００３３】
請求項１０記載の発明の対物レンズ駆動装置によれば、コイル端面方向の投影面積が大きい駆動用コイルを駆動用磁石に対向させることによって駆動用コイルから駆動用磁石への熱の伝わりを促進することができ、これにより、駆動用コイルから発生して対物レンズに伝わる熱を低減させることができ、対物レンズの光学性能を維持することができる。
【００３４】
請求項１１記載の発明の光ピックアップ装置によれば、請求項１ないし１０のいずれか一記載の対物レンズ駆動装置を具備するので、請求項１ないし１０のいずれか一記載の発明の効果と同じ効果を奏することができる。
【００３５】
請求項１２記載の発明の光ディスク装置によれば、請求項１ないし１０のいずれか一記載の対物レンズ駆動装置を含んだ請求項１１記載の光ピックアップ装置を具備するので、請求項１ないし１０のいずれか一記載の発明の効果と同じ効果を奏することができる。
【発明を実施するための最良の形態】
【００３６】
本発明の第１の実施の形態を図１及び図２に基づいて説明する。図１は対物レンズ駆動装置を示す側面図、図２は斜視図である。
【００３７】
本実施の形態の対物レンズ駆動装置１は、可動部２、可動部２を可動可能に保持した基台３、基台３が固定されたキャリッジ４等により構成されている。
【００３８】
可動部２は、回転駆動装置（図示せず）に取付けられて回転する光ディスク（図示せず）上に光スポットを形成する対物レンズ５、対物レンズ５を保持する対物レンズ保持部材６、対物レンズ保持部材６の外周面の２面に接着固定された駆動用コイルであるトラッキングコイル７と駆動用コイルであるフォーカシングコイル８とにより構成されている。
【００３９】
基台３には、一つの保持部材９と一対のヨーク１０とが立設されている。ヨーク１０は基台３の一部を立ち曲げることにより基台３と一体に形成され、ヨーク１０には駆動用磁石１１が接着固定されている。これらの駆動用磁石１１はそれぞれトラッキングコイル７及びフォーカシングコイル８に対向する位置に位置付けられている。また、基台３には、ヨーク１０を立ち曲げることに伴って開口１０ａが形成され、この開口１０ａは対物レンズ５に対して出入りする光の通過用開口とされている。
【００４０】
保持部材９には矩形の４つの頂点に位置するように位置決めされた４本の弾性支持部材１２の一端側が固定され、これらの弾性支持部材１２の他端側は対物レンズ保持部材６の外周面であってコイル７、８が接着されている面と直交する面に固定されている。これにより、可動部２が４本の弾性支持部材１２により弾性支持され、可動部２は対物レンズ５の光軸方向と垂直な方向（トラッキング方向）又は対物レンズ５の光軸方向（フォーカシング方向）に可動可能とされている。
【００４１】
キャリッジ４は回転駆動系に取付けられた光ディスクの半径方向に移動可能に設けられており、このキャリッジ４への基台３の固定は、キャリッジ４に形成された立上り部１３の上端面と基台３の当接部１４とを当接し、立上り部１３と当接部１４との当接箇所を接着剤１５で固定し、又は、ネジで固定することにより行われている。キャリッジ４と基台３との間は、固定のための当接箇所以外の部分は、隙間が設けられている。この隙間は、キャリッジ４や基台３に寸法誤差が発生した場合でも、キャリッジ４と基台３とを固定したときにキャリッジ４と基台３とが干渉することを防止するためのものである。
【００４２】
本実施の形態では、キャリッジ４と基台３との間に、熱伝導率が空気より高い伝熱媒体１６が介装されている。この伝熱媒体１６としては、シリコーングリス、接着剤等を用いることができる。
【００４３】
キャリッジ４と基台３との間への伝熱媒体１６の介装は、キャリッジ４における基台３に対向する面、又は、基台３におけるキャリッジ４に対向する面、又は、それらの両方の面に伝熱媒体１６を塗布し、その後、基台３とキャリッジ４とを組み付け、当接箇所を接着剤１５又はネジで固定する。
【００４４】
このような構成において、対物レンズ駆動装置１では、トラッキングコイル７に電流を流すことによりトラッキングコイル７と駆動用磁石１１との間で推力が発生し、弾性支持部材１２が撓んで可動部２がトラッキング方向に可動する。また、フォーカシングコイル８に電流を流すことによりフォーカシングコイル８と駆動用磁石１１との間で推力が発生し、弾性支持部材１２が撓んで可動部２がフォーカシング方向に可動する。
【００４５】
ここで、可動部２を可動させるためにトラッキングコイル７やフォーカシングコイル８に電流を流した場合、これらのトラッキングコイル７やフォーカシングコイル８から熱が発生する。発生した熱の一部は駆動用磁石１１とヨーク１０とを介して基台３に伝わり、発生した熱の他の一部は対物レンズ保持部材６に伝わる。
【００４６】
駆動用磁石１１とヨーク１０とを介して基台３に伝わった熱は、伝熱媒体１６を介してキャリッジ４に伝わる。伝熱媒体１６は、空気よりも熱伝導率が高いため、基台３から伝熱媒体１６を介したキャリッジ４への伝熱は良好に行われる。そして、トラッキングコイル７やフォーカシングコイル８から発生した熱のうち駆動用磁石１１、ヨーク１０、基台３を介してキャリッジ４に伝わる熱量が増え、それに伴って対物レンズ保持部材６に伝わる熱量が少なくなる。これにより、トラッキングコイル７やフォーカシングコイル８から発生して対物レンズ５に伝わる熱を低減させることができ、対物レンズ５の光学性能を維持することができる。
【００４７】
伝熱媒体１６として接着剤を用いる場合には、その接着剤に金属粉を混ぜることが好適である。接着剤に金属粉を混ぜることにより熱伝導性をより高くすることができ、基台３からキャリッジ４への伝熱をより促進させることができる。ひいては、対物レンズ５への熱の影響をより少なくすることができ、対物レンズ５の光学性能をより良好に維持することができる。また、伝熱媒体１６として用いる接着剤は固着時に収縮するが、金属粉は収縮しないので、金属粉を混ぜることにより接着剤の体積変化量を小さくすることができ、接着剤が収縮することにより発生する隙間を抑制することができる。さらに、接着剤は経時的に蒸発等して減少するということが発生しないので、接着剤による放熱性を長期間に亘って良好に維持することができる。
【００４８】
図３は、第１の実施の形態の変形例を示すものである。この変形例では、伝熱媒体１６を介装する領域が第１の実施の形態より広げられており、キャリッジ４の立上り部１３の側面と基台３との間にも伝熱媒体１６が介装されている。この変形例で示すように、伝熱媒体１６が介装されている面積が広くなることにより、基台３からキャリッジ４への伝熱を促進させることができる。
【００４９】
本発明の第２の実施の形態を図４に基づいて説明する。なお、本実施の形態及び以下に説明する他の実施の形態において、先行して説明した実施の形態と同じ部分は同じ符号で示し、説明も省略する。
【００５０】
本実施の形態では、基台３とキャリッジ４との間に伝熱媒体１６を注入するための注入部である注入用開口１７が基台３に形成されている。この注入用開口１７からの伝熱媒体１６の注入は、注射器などを用いて行う。
【００５１】
このような構成において、本実施の形態では、基台３とキャリッジ４とを接着剤１５で接着固定した後、注射器などを用いて注入用開口１７から伝熱媒体１６を注入し、伝熱媒体１６を基台３とキャリッジ４との間に充填する。
【００５２】
ここで、基台３やキャリッジ４の部品寸法の誤差や、組立時に発生する組立誤差により基台３とのキャリッジ４との間の隙間寸法はバラツキが生じる。このため、基台３とキャリッジ４とを組み立てた後、基台３とキャリッジ４との間に伝熱媒体１６を充填することにより、基台３とキャリッジ４との間に必要量の伝熱媒体１６を過不足なく充填することができる。
【００５３】
このため、基台３とキャリッジ４との間の伝熱媒体１６が不足して基台３からキャリッジ４での伝熱が不良になるということを防止できる。また、基台３とキャリッジ４との間に必要量以上の伝熱媒体１６が存在し、基台３とキャリッジ４との間からはみ出した伝熱媒体１６が周辺部材に付着するということを防止できる。
【００５４】
なお、本実施の形態では、注入用開口１７を基台３に形成した場合を例に挙げて説明したが、キャリッジ４に形成してもよい。
【００５５】
本発明の第３の実施の形態を図５及び図６に基づいて説明する。
【００５６】
本実施の形態では、対物レンズ保持部材６の外周面の２面に放熱板１８が接着固定され、これらの放熱板１８にトラッキングコイル７とフォーカシングコイル８とが接着固定されている。
【００５７】
放熱板１８は対物レンズ保持部材６より大きい高さ寸法を有し、放熱板１８は基台３に形成された開口３ａを挿通するように位置付けられている。
【００５８】
さらに、キャリッジ４には、基台３の開口３ａを挿通してキャリッジ４側に延出した放熱板１８が挿入される一対の放熱用凹部２０と、一対の放熱用凹部２０の間に位置して対物レンズ５に出入りする光が通過する開口４ａとが形成されている。基台３とキャリッジ４とを組み立てて接着固定したとき、放熱板１８は基台３の開口３ａを挿通して放熱用凹部２０に挿入されている。
【００５９】
このような構成において、本実施の形態では第１の実施の形態で説明したように、トラッキングコイル７に電流を流すことによりトラッキングコイル７と駆動用磁石１１との間で推力が発生し、弾性支持部材１２が撓んで可動部２がトラッキング方向に可動する。また、フォーカシングコイル８に電流を流すことによりフォーカシングコイル８と駆動用磁石１１との間で推力が発生し、弾性支持部材１２が撓んで可動部２がフォーカシング方向に可動する。
【００６０】
ここで、可動部２を可動させるためにトラッキングコイル７やフォーカシングコイル８に電流を流した場合、これらのトラッキングコイル７やフォーカシングコイル８から熱が発生する。発生した熱の一部は駆動用磁石１１とヨーク１０とを介して基台３に伝わり、発生した熱の他の一部は対物レンズ保持部材６に伝わり、発生した熱の他の一部は放熱板１８に伝わる。
【００６１】
放熱板１８に伝わった熱は、放熱板１８におけるキャリッジ４の放熱用凹部２０に挿入されている部分からキャリッジ４に伝わる。ここで、トラッキングコイル７やフォーカシングコイル８から発生した熱は、空気層を介さずに放熱板１８に伝わり、放熱板１８から放熱用凹部２０の箇所でキャリッジ４に伝えられるため、トラッキングコイル７やフォーカシングコイル８から発生した熱を効率よくキャリッジ４に伝えることができ、トラッキングコイル７やフォーカシングコイル８から発生して対物レンズ５に伝わる熱を低減させることができ、対物レンズ５の光学性能を維持することができる。
【００６２】
本発明の第４の実施の形態を図７に基づいて説明する。
【００６３】
本実施の形態では、基台３の一部に突起部３ｂが形成され、この突起部３ｂが基台３に取り付けた可動部２の一部となる放熱板１８に対向して位置付けられている。
【００６４】
基台３とキャリッジ４とを組み立てて接着固定したとき、突起部３ｂと放熱板１８とは対向した状態でキャリッジ４に形成されている開口４ａに挿入されている。
【００６５】
このような構成において、基台３とキャリッジ４とを組み付ける場合、突起部３ｂと放熱板１８との間隔は後の調整が不要であるので、突起部３ｂと放熱板１８とを調整代を小さくして十分に近接させることができる。これにより、放熱板１８から基台３の一部である突起部３ｂへの熱の伝わりを良好に行わせることができ、突起部３ｂに伝わった熱は突起部３ｂからキャリッジ４に伝わる。突起部３ｂとキャリッジ４との間に第1〜第３の実施の形態で説明した伝熱媒体１６を介装することにより、突起部３ｂからキャリッジ４への伝熱を促進することができる。
【００６６】
本発明の第５の実施の形態を図８及び図９に基づいて説明する。
【００６７】
本実施の形態では、対物レンズ保持部材６の外周面を囲むように放熱板１８Ａが設けられ、これらの放熱板１８Ａにトラッキングコイル７とフォーカシングコイル８とが接着固定されている。また、これらの放熱板１８Ａは、弾性支持部材１２と一体に形成されている。一体に形成された弾性支持部材１２と放熱板１８Ａとをインサート成形して対物レンズ保持部材６を形成し、放熱板１８Ａが対物レンズ保持部材６の外周面に現れるようにする。
【００６８】
このような構成において、放熱板１８Ａと弾性支持部材１２とが一体化されることにより部品点数を減らすことができる。さらに、これらの放熱板１８Ａと弾性支持部材１２とを一度に対物レンズ保持部材６に取付けることができ、組立工程数の削減を図ることができる。
【００６９】
本発明の第６の実施の形態を図１０に基づいて説明する。
【００７０】
本実施の形態では、対物レンズ５が、レンズ部５Ａと、フランジ部５Ｂと、これらのレンズ部５Ａとフランジ部５Ｂとを繋ぐ複数の繋ぎ部５Ｃとから形成されている。この対物レンズ５は、対物レンズ保持部材６の上端部に形成された段付孔部２１に接着固定されている。
【００７１】
このような構成において、隣り合って位置する繋ぎ部５Ｃと繋ぎ部５Ｃとの間に空間２２ができ、この空間２２の存在により対物レンズ保持部材６からレンズ部５Ａへの熱の伝わりを抑制することができる。これにより、トラッキングコイル７やフォーカシングコイル８から発生し対物レンズ５に伝わる熱を低減させることができ、対物レンズ５の光学性能を維持することができる。
【００７２】
本発明の第７の実施の形態を図１１に基づいて説明する。
【００７３】
本実施の形態では、第６の実施の形態と同じように、対物レンズ５が、レンズ部５Ａと、フランジ部５Ｂと、これらのレンズ部５Ａとフランジ部５Ｂとを繋ぐ複数の繋ぎ部５Ｄ、５Ｅとから形成されている。この対物レンズ５は、対物レンズ保持部材６の上端部に形成された段付孔部２１に接着固定されている。
【００７４】
繋ぎ部５Ｄ、５Ｅは、トラッキングコイル７やフォーカシングコイル８が接着された面の近くに位置する繋ぎ部５Ｄの断面積は小さく、トラッキングコイル７やフォーカシングコイル８が接着された面から離れて位置する繋ぎ部５Ｅの断面積は繋ぎ部５Ｄの断面積より大きく設定されている。
【００７５】
このような構成において、隣り合って位置する繋ぎ部５Ｄと繋ぎ部５Ｅとの間に空間２２ができ、この空間２２の存在により対物レンズ保持部材６からレンズ部５Ａへの熱の伝わりを抑制することができる。これにより、トラッキングコイル７やフォーカシングコイル８から発生して対物レンズ５に伝わる熱を低減させることができ、対物レンズ５の光学性能を維持することができる。
【００７６】
また、本実施の形態によれば、全ての繋ぎ部の断面積を一律に小さくする場合と比較して断面積を大きくした繋ぎ部５Ｅを形成することにより、レンズ部５Ａを支持する剛性を維持することができる。
【００７７】
さらに、トラッキングコイル７やフォーカシングコイル８が接着された面の近くに位置する繋ぎ部５Ｄの断面積を小さくし、トラッキングコイル７やフォーカシングコイル８が接着された面から離れて位置する繋ぎ部５Ｅの断面積を大きくしているため、各繋ぎ部５Ｄ、５Ｅを介してレンズ部５Ａに伝わる熱が略均等になる。これにより、レンズ部５Ａに繋ぎ部５Ｄ、５Ｅを介して伝わる熱がレンズ部５Ａの全周で略均等になり、レンズ部５Ａにおける温度分布差の発生を抑制することができ、対物レンズ５の光学性能を維持することができる。
【００７８】
本発明の第８の実施の形態を図１２及び図１３に基づいて説明する。
【００７９】
本実施の形態では、対物レンズ保持部材６の上端部に対物レンズ５を保持する保持用孔部２３が形成され、保持用孔部２３の縁部には対物レンズ５の周縁部に当接して対物レンズ５を保持する複数の保持用突起部２４が形成されている。
【００８０】
図１３は、対物レンズ５の周縁部に保持用突起部２４を当接させて対物レンズ５を保持した状態である。隣り合う保持用突起部２４の間には空間２５が形成されている。
【００８１】
このような構成において、対物レンズ保持部材６と対物レンズ５との接触面積を小さくすることができ、これにより、対物レンズ保持部材６から対物レンズ５への熱の伝わりを抑制することができ、対物レンズ５の光学性能を維持することができる。
【００８２】
本発明の第９の実施の形態を図１４に基づいて説明する。
【００８３】
本実施の形態では、対物レンズ保持部材６の同じ外周面に接着剤５０で接着固定されているトラッキングコイル７とフォーカシングコイル８との接着剤厚さ寸法を調整することにより、これらのトラッキングコイル７とフォーカシングコイル８とが駆動用磁石１１と対向する対向間隔“Ｈ”が一定となるように調整されている。
【００８４】
対向間隔“Ｈ”を一定とする作業は、対物レンズ保持部材６の側面にトラッキングコイル７とフォーカシングコイル８とを位置決めするためのボスを設けておき、駆動用コイル７、８を軸方向にのみ移動できるように位置を規制し、治具で、駆動用コイル７、８の対物レンズ保持部材６側の端面と対物レンズ保持部材６とを位置決めし、駆動用コイル７、８の端面と対物レンズ保持部材６との間に接着剤（紫外線硬化型接着剤）を注入し、紫外線を照射して接着剤５０を固化することにより行う。
【００８５】
なお、一つの駆動用コイル８が、例えば、２種類以上の駆動用コイル（例えば、フォーカシングコイル、チルトコイル）を積層して接着させたものである場合には、あらかじめ、２種類以上の駆動用コイルの端面を接着して貼り合わせておき、貼り合わせた駆動用コイルを対物レンズ保持部材６に接着する。
【００８６】
このような構成において、駆動用コイル７、８と駆動用磁石１１との間の距離のバラツキを抑えることができ、駆動用コイル７、８と駆動用磁石１１との間の設計上の隙間マージンを小さくすることができ、駆動用コイル７、８と駆動用磁石１１との対向間隔“Ｈ”を小さく抑えることができる。このため、可動部２を駆動させるために駆動用コイル７、８に流す電流値を小さくすることができ、駆動用コイル７、８から発生する熱を低減させることができる。これにより、対物レンズ５に伝わる熱を低減させることができ、対物レンズ５の光学性能を維持することができる。
【００８７】
また、駆動用コイル７、８と駆動用磁石１１との対向間隔“Ｈ”を小さく抑えることにより、駆動用コイル７、８から発生した熱が駆動用磁石１１に伝わり易くなり、駆動用コイル７、８からの熱を駆動用磁石１１、ヨーク１０、基台３を介しての伝熱を良好に行うことができる。
【００８８】
なお、本実施の形態では、駆動用コイル７、８を対物レンズ保持部材６の外周面に接着固定する場合を例に挙げて説明したが、駆動用コイル７、８を放熱板１８に接着固定する場合にも本発明を適用することができる。
【００８９】
本発明の第１０の実施の形態を図１６に基づいて説明する。
【００９０】
本実施の形態では、対物レンズ保持部材６の外周面に接着固定された駆動用コイルは、それぞれが駆動用コイルであるフォーカシングコイル８とチルトコイル２６とが積層して接着されている。この場合、コイル端面の大きいフォーカシングコイル８が駆動用磁石１１に対向する側に位置付けられ、コイル端面の小さいチルトコイル２６が対物レンズ保持部材６の外周面に接着固定されている。
【００９１】
このような構成において、コイル端面の大きいフォーカシングコイル８を駆動用磁石１１に対向させることにより、駆動用コイル８、２６から駆動用磁石１１への伝熱を促進することができる。これにより、駆動用コイル８、２６から発生して対物レンズ５に伝わる熱を低減させることができ、対物レンズ５の光学性能を維持することができる。
【００９２】
なお、本実施の形態では、駆動用コイル７、８、２６を対物レンズ保持部材６の外周面に接着固定する場合を例に挙げて説明したが、駆動用コイル７、８、２６を放熱板１８に接着固定する場合にも本発明を適用することができる。
【００９３】
本発明の第１１の実施の形態を図１６に基づいて説明する。
【００９４】
本実施の形態は、上述した各実施の形態のように構成された対物レンズ駆動装置１を備えた光ピックアップ装置３０への適用例を示す。光ピックアップ装置３０に搭載されている半導体レーザ等のレーザ光源３１から出射された拡散光は、コリメートレンズ３２によって略平行光とされる。その後、ビームスプリッタ３３を通り、立上げミラー３４により折り曲げられる。立上げミラー３４によって折り曲げられた平行光は光ピックアップ装置３０に搭載された対物レンズ駆動装置１の対物レンズ５に入射し、光ディスク３５上にスポットを形成する。
【００９５】
スポットの反射光はビームスプリッタ３３によって来た方向と向きを変えられ、集光レンズ３６とシリンドリカルレンズ３７を通った後、４分割受光素子３８に入射する。光ディスク３５上のスポットの反射光が４分割受光素子３８に入射するように上述の各光学部品を配置しておく。４分割受光素子３８で得られた信号を元にして対物レンズ駆動装置１の駆動用コイル７、８、２６に通電し、光ディスク３５に対して対物レンズ５を追従させることで光ディスク３５の情報を得ることができる。集光レンズ３６、シリンドリカルレンズ３７及び４分割受光素子３８により受光光学系３９が構成されている。さらに、４分割受光素子３８の受光信号に基づいて対物レンズ駆動装置１に対する駆動信号を出力する対物レンズ制御系（図示せず）が設けられている。
【００９６】
このような構成において、光ピックアップ装置３０に搭載されている対物レンズ駆動装置１は、上述した第１ないし第１０の実施の形態で説明したように構成されており、上述のように対物レンズ駆動装置１によって対物レンズ５を光ディスク３５に対して追従させて光ディスク３５の情報の読み取り、又は、光ディスク３５への情報の書き込みを行える。しかも、この対物レンズ駆動装置１は、駆動用コイル７、８、２６から発生した熱をキャリッジ４へ良好に伝熱することができ、対物レンズ５に対する熱の影響を抑制して対物レンズ５の光学特性を維持することかできる。これにより、光ディスク３５に対する精度の高い情報の読取り、精度の高い情報の書込を行える。
【００９７】
つぎに、本発明の第１２の実施の形態を図１７及び図１８に基づいて説明する。本実施の形態は、上述したような光ピックアップ装置３０を搭載した光ディスク装置への適用例を示す。まず、光ディスク装置４０の筐体４１に防振ゴム４２を介してピックアップモジュールベース４３が設置されている。ピックアップモジュールベース４３には光ディスク３５を回転させる回転駆動系としてのスピンドルモータ４４が固定されている。また、ピックアップモジュールベース４３に取付けられたシークレール４５にはキャリッジ４が保持されている。キャリッジ４には光ピックアップ装置３０が搭載され、光ピックアップ装置３０はシークレール４５上を光ディスク３５の半径方向（ラジアル方向）に移動可能とされている。
【００９８】
ここで、当該光ディスク装置４０に搭載されている光ピックアップ装置３０は、上述した第１１の実施の形態で説明したように、駆動用コイル７、８、２６から発生した熱をキャリッジ４へ良好に伝熱することができるので、対物レンズ５に対する熱の影響を抑制して対物レンズ５の光学特性を維持することかでき、光ディスク３５に対する精度の高い情報の読取り、精度の高い情報の書込を行える。
【図面の簡単な説明】
【００９９】
【図１】本発明の第１の実施の形態の対物レンズ駆動装置を示す側面図である。
【図２】その斜視図である。
【図３】第１の実施の形態の変形例を示す側面図である。
【図４】本発明の第２の実施の形態の対物レンズ駆動装置を示す側面図である。
【図５】本発明の第３の実施の形態の対物レンズ駆動装置を示す分解斜視図である。
【図６】一部を断面にして示す側面図である。
【図７】本発明の第４の実施の形態の対物レンズ駆動装置を一部を断面にして示す側面図である。
【図８】本発明の第５の実施の形態の対物レンズ駆動装置の一部であって駆動用コイルを接着する前の状態を示す斜視図である。
【図９】その放熱板と弾性支持部材とを示す斜視図である。
【図１０】本発明の第６の実施の形態の対物レンズ駆動装置の一部を示す分解斜視図である。
【図１１】本発明の第７の実施の形態の対物レンズ駆動装置の一部を示す分解斜視図である。
【図１２】本発明の第８の実施の形態の対物レンズ駆動装置の一部を示す分解斜視図である。
【図１３】その対物レンズ駆動装置の一部を示す斜視図である。
【図１４】本発明の第９の実施の形態の対物レンズ駆動装置の一部を示す平面図である。
【図１５】本発明の第１０の実施の形態の対物レンズ駆動装置の一部を示す平面図である。
【図１６】本発明の第１１の実施の形態の光ピックアップ装置を示す概略構成図である。
【図１７】本発明の第１２の実施の形態の光ディスク装置を示す概略平面図である。
【図１８】その側面図である。
【符号の説明】
【０１００】
１      対物レンズ駆動装置
２      可動部
３      基台
４      キャリッジ
５      対物レンズ
５Ａ    レンズ部
５Ｂ    フランジ部
５Ｃ    繋ぎ部
５Ｄ    繋ぎ部
５Ｅ    繋ぎ部
６      対物レンズ保持部材
７      駆動用コイル
８      駆動用コイル
９      保持部材
１０      ヨーク
１１      駆動用磁石
１２      弾性支持部材
１８      放熱板
１８Ａ    放熱板
２０      放熱用凹部
２４      保持用突起部
２６      駆動用コイル
３０      光ピックアップ装置
３１      レーザ光源
３５      光ディスク
３９      受光光学系
４０      光ディスク装置
４４      回転駆動系
５０      接着剤
【図１】
2006031787.tif 000003
【図２】
2006031787.tif 000004
【図３】
2006031787.tif 000005
【図４】
2006031787.tif 000006
【図５】
2006031787.tif 000007
【図６】
2006031787.tif 000008
【図７】
2006031787.tif 000009
【図８】
2006031787.tif 000010
【図９】
2006031787.tif 000011
【図１０】
2006031787.tif 000012
【図１１】
2006031787.tif 000013
【図１２】
2006031787.tif 000014
【図１３】
2006031787.tif 000015
【図１４】
2006031787.tif 000016
【図１５】
2006031787.tif 000017
【図１６】
2006031787.tif 000018
【図１７】
2006031787.tif 000019
【図１８】
2006031787.tif 000020